(57)【要約】【課題】本発明は、空気を踏圧により供給することのできる袋付き植物保護資材用のマーカーの提案にある。【解決手段】本発明は、下方に開口し上部が閉鎖された中空の袋状の突部が複数平面状に連結され、前記突部間には透孔が設けられ、基盤上に敷設される袋付き植物保護資材に使用されるマーカーであって、底部に前記突部および／もしくは透孔の１ないし複数に嵌合する嵌合部を設けた袋付き植物保護資材用マーカーである。袋付き植物保護資材の中空の袋状突部および／もしくは中空袋状突部間の透孔に契合する凹部もしくは突部をマーカーの底部に設けた。【選択図】図１
2009077666.tif 000002
【特許請求の範囲】
【請求項１】
下方に開口し上部が閉鎖された中空の袋状の突部が複数平面状に連結され、前記突部に囲まれた空間には透孔が設けられ、基盤上に敷設される袋付き植物保護資材に使用されるマーカーであって、底部に前記突部および／もしくは透孔の１ないし複数に契合する嵌合部を設けた袋付き植物保護資材用マーカー。
【発明の詳細な説明】
【技術分野】
【０００１】
本発明は、芝生等の植物を保護・育成する袋付き植物保護資材用マーカーに属する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立入る人の、あるいは車の踏圧から植物を保護するため、踏圧部と透孔部からなる植物保護資材（特開平2-145137、特開平4-75541）等が各種提案され使用されている。
さらにこれら芝生保護盤を用いた際に人の踏圧を和らげるため、芝生保護盤上に更に平坦な上部枠を設置し、上部枠で人の足との接触部の面積を大きくし踏圧部からの反力を軽減する植物保護資材が特開平5-56724に開示されている。
芝生の生長を促進するため踏圧によって芝生に空気を供給する袋付き植物保護資材を本発明者らが特願2007-066323、特願2007-140049で提案した。
【０００３】
【特許文献１】特開平2-145137
【特許文献２】特開平4-75541
【特許文献３】特開平5-56724
【特許文献４】特願2007-066323
【特許文献５】特願2007-140049
【発明の開示】
【発明が解決しようとする課題】
【０００４】
本発明は、空気を踏圧により供給することのできる袋付き芝生保護資材用のマーカーの提案にある。
【課題を解決するための手段】
【０００５】
本発明は、下方に開口し上部が閉鎖された中空の袋状の突部が複数平面状に連結され、前記突部間には透孔が設けられ、基盤上に敷設される袋付き植物保護資材に使用されるマーカーであって、底部に前記突部および／もしくは透孔の１ないし複数に嵌合する嵌合部を設けた袋付き植物保護資材用マーカーである。袋付き植物保護資材の中空の袋状突部および／もしくは中空袋状突部間の透孔に契合する凹部もしくは突部をマーカーの底部に設けた。
【発明の効果】
【０００６】
本発明は、下方に開口し上部が閉鎖された中空の袋状の突部を複数平面状に連結し、突部に囲まれた空間に透孔を設けてある袋付き植物保護資材用のマーカーであり、その底部に植物保護資材の突部、透孔部に嵌合する凹部、突部を有するため容易に袋付き植物保護資材に嵌合し、マーカーとなる。
【発明を実施するための最良の形態】
【０００７】
以下本発明を図により詳細に説明する。
図１は、本袋付き植物保護資材用マーカーの平面および断面を示す概念図である。
図１ａに示したマーカーは、袋付き植物保護資材の中空突部に嵌合する凹部を有している。図１ｂに示したマーカーは、袋付き植物保護資材の突部に囲まれた透孔部に嵌合する突部が設けられている。図に示したマーカーは嵌合用の凹部あるいは突部のみを有するよう示されているが、凹部と突部の両方を有するものであってもよい。
【０００８】
図２は、本マーカーが適用される袋付き植物保護資材の一例である。下方が開口し上部が閉鎖された中空の袋状の突部を縦横平面状に連結したものである。人あるいは車の踏圧により袋状の突部が収縮し、中の空気が下方に押し出され芝生などに空気を供給し、踏圧がなくなると元の形状に復元するものである。中空袋状の突部に囲まれた空間が透孔部を形成し芝生が延びる空間であるとともに、雨水などが地中に浸透する場所となる。
【０００９】
図３は、袋付き植物保護資材に本マーカーを適用させた状態を示す概念図である。図３ａは図1ａに示した凹部を有するマーカーを使用した例であり、図３ｂは図1ｂに示した突部を有するマーカーを使用した例である。
本マーカーを直線状あるいは飛び飛びに並べて、駐車場などの車の位置決めに使用したりあるいは通路などの境界を示すために使用される。使用に当たってはマーカーの色を芝生の緑と区別がつく白色など異なる色として使用するのが好ましい。
【００１０】
図４〜図８は袋付き植物保護資材の他の使用例を示す図である。図２、図4、図５に示した部材を組み合わせて袋付き植物保護資材を形成する。
図２は、袋付き植物保護資材の本体である。図４は袋付き植物保護資材の袋の中に隙間を空けて支柱を装入し、踏み圧によっても袋状突部が平らになることを防ぐ中間部材である。図５は、従来の植物保護資材の一例である。
【００１１】
図２、図４を組み合わせて使用することで図６に示す使用例となる。本例は中空の袋状突部の内部に隙間を空けて柱を差込、踏圧による空気の供給を維持しながら中空の袋状突部が踏圧によっても一部その高さを保てるようにしたものである。こうすることで芝生が全面的に踏みつけられる状態を防止することができる。
【００１２】
図７に示す使用例は、図２、図５に示す部材を組み合わせて使用する例である。
強度の高い踏圧部を有する従来の植物保護資材の上に図２の部材を契合させた使用例である。土壌を部材図５の部材の高さまで充填するため、芝生の育成によりすぐれた環境を提供できる。
【００１３】
図８に示す例は、図２、図４、図５に示した部材を組み合わせて使用する例であり、図７に示した例と同様の効果が得られるとともに、中空袋状突部の高さが踏圧によっても平らにならず一部その高さを維持できるものである。
【００１４】
図２、図４、図５に示した部材はそれぞれの使用例に応じて、上下の関係となる部材ごとに適切な契合部を用いる必要がある。図に示した契合具はその一部であり、適宜既存の方法を用いてそれぞれ契合することができる。
【００１５】
雨水等が芝等の植物に供給されるよう、袋付き植物保護資材・中間部材・従来の植物保護資材の透水部は少なくともその一部は上下に貫通するように形成されていることが好ましい。
図２に示した本マーカー用の袋付き植物保護資材は、中空の袋状突部が踏圧により収縮し、踏圧がなくなったとき元の袋状に復するため、ゴム、エラストマーなど弾性体であることが好ましい。図４、図５に示した中間部材、従来の植物保護資材はポリオレフィンのポリプロピレンあるいはポリエチレン等の熱可塑性樹脂が使用できる。
【図面の簡単な説明】
【００１６】
【図１】本発明の袋付き植物保護資材用マーカーの概念図である。
【図２】本マーカーを適用する袋付き植物保護資材の概念図である。
【図３】本マーカーを、袋付き植物保護資材に適用した概念図である。
【図４】中間部材の概念図である。
【図５】従来の植物保護資材の概念図である。
【図６】袋付き植物保護資材の第1の使用例を示す概念図である。
【図７】袋付き植物保護資材の第2の使用例を示す概念図である。
【図８】袋付き植物保護資材の第３の使用例を示す概念図である。
【符号の説明】
【００１７】
１  マーカー
１１  マーカー凹部
１２  マーカー突部
２  中空袋状突部
２１  透水部
３  袋付き植物保護資材
４  中間部材
５  従来の植物保護資材
【図１】
2009077666.tif 000003
【図２】
2009077666.tif 000004
【図３】
2009077666.tif 000005
【図４】
2009077666.tif 000006
【図５】
2009077666.tif 000007
【図６】
2009077666.tif 000008
【図７】
2009077666.tif 000009
【図８】
2009077666.tif 000010